(57)【要約】【課題】ＩＤタグの取付け作業性の向上、及び、耐久性の向上を図ることのできるパレットを提供する。【解決手段】パレット１は、上構成部９と、下構成部１０とを備える。パレット１の平面視略中央部に設けられたタグ収容部１１は、パレット１の上面及び下面に設けられた挿入開口部１２を挟んで互いに対向して設けられ、挿入開口部１２の周縁部からパレット１の厚み方向中央部側に延出する第１壁部１４及び第２壁部１７を備える。第２壁部１７は第１壁部１４よりも延出長が短い。第１壁部１４は弾性変形可能な弾性片１５と、弾性片１５の先端部から第２壁部１７側に突出する突出部１６とを備える。構成部９、１０は互いに同一形状であり、上構成部９の第２壁部１７が下構成部１０の第１壁部１４の上方に位置している。タグ収容部１１に収容されたＩＤタグ３１は、その上面が上構成部９の第２壁部１７の下方に位置するようにして傾斜姿勢で保持されている。【選択図】      図５
2018193090.tif 000002
【特許請求の範囲】
【請求項１】
物品を載置する載置面、及び、自身が設置される設置面に当接する接地面のうち少なくとも前記載置面として機能し得る第１構成面を備える第１構成部と、
前記載置面、及び、前記接地面のうち少なくとも前記接地面として機能し得る第２構成面を備える第２構成部とを備え、
前記第１構成部のうち前記第１構成面とは反対側の面と、前記第２構成部のうち前記第２構成面とは反対側の面とを溶着することで構成されるとともに、
略スティック状のＩＤタグを収容するタグ収容部を備えたパレットにおいて、
前記タグ収容部は、
前記第１構成面、及び、前記第２構成面のうち少なくとも一方側に設けられ、前記ＩＤタグを挿入可能とする挿入開口部と、
前記挿入開口部を挟んで互いに対向して設けられ、前記挿入開口部の周縁部から、前記第１構成部と、前記第２構成部との接続面側に延出する第１壁部、及び、第２壁部とを備え、
前記第１壁部は、前記第２壁部に対して遠近する方向に弾性変形可能な弾性片を備え、
前記第２壁部は、前記第１壁部よりも、前記挿入開口部の周縁部からの延出長が短く構成されるとともに、弾性変形が抑制されるよう構成され、
前記第１構成部、及び、前記第２構成部のうち、前記第１壁部、及び、前記第２壁部が設けられた側とは反対側に設けられ、前記挿入開口部に挿入された前記ＩＤタグの全体が、前記第２壁部の前記接続面側の端部を越える前に、前記ＩＤタグのうち、前記第１壁部と当接している第１側面とは反対側の面であって、前記第２壁部に当接している第２側面と当接する第３壁部を備え、
前記第１壁部は、前記弾性片の先端部、又は、その近傍から、前記第２壁部側に突出し、前記挿入開口部に挿入された前記ＩＤタグの全体が前記第２壁部の前記接続面側の端部を越えた場合に、前記弾性片の弾性力に基づいて前記ＩＤタグを前記第２壁部側に変位させる突出部を備え、
前記タグ収容部において前記ＩＤタグが、前記挿入開口部に挿入される際の姿勢に対して傾けられた姿勢で保持されることを特徴とするパレット。
【請求項２】
前記タグ収容部は、前記第２壁部に対し、前記挿入開口部の外周方向側に隣接、又は、近接して設けられ、前記第２壁部よりも前記接続面側に延在する回転防止リブを備え、
前記回転防止リブは、前記第１壁部の前記突出部により回動変位させられた前記ＩＤタグと当接して支持可能に構成されていることを特徴とする請求項１に記載のパレット。
【請求項３】
前記タグ収容部は、前記ＩＤタグのうち、前記第１側面の側辺部と、前記第２側面の側辺部との間を連結する第３側面、及び、第４側面にそれぞれ対向するようにして、前記挿入開口部の周縁部から前記接続面側に延びる内側壁部を備え、
相対する一対の前記内側壁部の間に前記ＩＤタグを挟持可能に構成され、
前記内側壁部は、前記タグ収容部の内周側に突出するガタツキ防止凸部を備え、
前記ガタツキ防止凸部のうち少なくとも前記挿入開口部側の部位は、前記接続面側に向けて次第に前記内側壁部からの突出長が大きくなっていることを特徴とする請求項１又は２に記載のパレット。
【請求項４】
前記第１構成部、及び、前記第２構成部は、互いに同一形状で同一の大きさに構成され、
前記第１構成部、及び、前記第２構成部のうち一方側の前記第１壁部、及び、前記第２壁部に対応する前記第３壁部は、前記第１構成部、及び、前記第２構成部のうち他方側の前記第１壁部により構成されていることを特徴とする請求項１乃至３のいずれかに記載のパレット。
【発明の詳細な説明】
【技術分野】
【０００１】
本発明は、物品の運搬等に使用されるパレットに関するものである。
【背景技術】
【０００２】
一般に、物品の運搬等に使用されるパレットは、複数の支柱部と、当該複数の支柱部の上端部間、下端部間を連結する上デッキ、下デッキとを備え、支柱部間においてフォークリフトのフォークを差込み可能なフォーク差込み部を有している。また、パレットに対し、パレットに載置される物品に関する情報等を有するＩＤタグを取付けることが知られている（例えば、特許文献１等参照。）。
【先行技術文献】
【特許文献】
【０００３】
【特許文献１】特開２００７−２８４１１７号公報
【発明の概要】
【発明が解決しようとする課題】
【０００４】
ところで、特許文献１に記載のパレットは、ＩＤタグを専用のホルダに装着し、ホルダをパレットに取付けるように構成されている。このように、ホルダが別途必要となることから、ＩＤタグをパレットに取付けるための作業が比較的煩雑になるとともに、コストの増加等が懸念される。
【０００５】
また、上記ホルダには、弾性変形可能な係止突片が設けられ、当該係止突片がパレットに係止されることで、ホルダ、ひいては、ＩＤタグがパレットに取付けられている。しかしながら、当該構成を採用する場合には、パレットが振動したり、衝撃を受けたりした場合に、係止突片が弾性変形したり、係止突片が損傷したりすることで、係止突片の係止状態が解除され、ホルダ（ＩＤタグ）がパレットから外れてしまうおそれがある。
【０００６】
本発明は、上記例示した問題点等を解決するためになされたものであって、その目的は、ＩＤタグの取付け作業性の向上、及び、耐久性の向上を図ることのできるパレットを提供することにある。
【課題を解決するための手段】
【０００７】
以下、上記目的等を解決するのに適した各手段につき項分けして説明する。なお、必要に応じて対応する手段に特有の作用効果等を付記する。
【０００８】
手段１．物品を載置する載置面、及び、自身が設置される設置面に当接する接地面のうち少なくとも前記載置面として機能し得る第１構成面を備える第１構成部と、
前記載置面、及び、前記接地面のうち少なくとも前記接地面として機能し得る第２構成面を備える第２構成部とを備え、
前記第１構成部のうち前記第１構成面とは反対側の面と、前記第２構成部のうち前記第２構成面とは反対側の面とを溶着することで構成されるとともに、
略スティック状のＩＤタグを収容するタグ収容部を備えたパレットにおいて、
前記タグ収容部は、
前記第１構成面、及び、前記第２構成面のうち少なくとも一方側に設けられ、前記ＩＤタグを挿入可能とする挿入開口部と、
前記挿入開口部を挟んで互いに対向して設けられ、前記挿入開口部の周縁部から、前記第１構成部と、前記第２構成部との接続面側に延出する第１壁部、及び、第２壁部とを備え、
前記第１壁部は、前記第２壁部に対して遠近する方向に弾性変形可能な弾性片を備え、
前記第２壁部は、前記第１壁部よりも、前記挿入開口部の周縁部からの延出長が短く構成されるとともに、弾性変形が抑制されるよう構成され、
前記第１構成部、及び、前記第２構成部のうち、前記第１壁部、及び、前記第２壁部が設けられた側とは反対側に設けられ、前記挿入開口部に挿入された前記ＩＤタグの全体が、前記第２壁部の前記接続面側の端部を越える前に、前記ＩＤタグのうち、前記第１壁部と当接している第１側面とは反対側の面であって、前記第２壁部に当接している第２側面と当接する第３壁部を備え、
前記第１壁部は、前記弾性片の先端部、又は、その近傍から、前記第２壁部側に突出し、前記挿入開口部に挿入された前記ＩＤタグの全体が前記第２壁部の前記接続面側の端部を越えた場合に、前記弾性片の弾性力に基づいて前記ＩＤタグを前記第２壁部側に変位させる突出部を備え、
前記タグ収容部において前記ＩＤタグが、前記挿入開口部に挿入される際の姿勢に対して傾けられた姿勢で保持されることを特徴とするパレット。
【０００９】
手段１によれば、ＩＤタグを直接パレットに取付けることが可能となる。従って、例えば、ＩＤタグを専用のホルダに装着してからパレットに取付けるような構成に比べ、ＩＤタグをパレットに取付ける作業性の向上、及び、コストの削減等を図ることができる。
【００１０】
また、挿入開口部に挿入されたＩＤタグは、その全体が第２壁部の接続面側の端部を越えると、第１壁部の突出部により、弾性片の弾性力に基づいて、第２壁部側に変位させられることになる。このとき、ＩＤタグの挿入方向先端部側については、第３壁部によって、第２壁部側への変位が規制されていることから、ＩＤタグのうち挿入方向後端部側の部位が、第２壁部の接続面側（の空間）に潜り込むようにして回動変位することとなる。このように、ＩＤタグが回動変位した（傾いた）姿勢とされることで、ＩＤタグが挿入開口部を介してパレットから外れてしまうといった事態をより確実に防止することができる。さらに、例えば、パレットが振動したり、衝撃を受けたりした場合であって、ＩＤタグが第１構成部及び第２構成部に対して相対変位するような場合には、第１壁部、第２壁部、及び、第３壁部により、ＩＤタグを協働して支持することができ、第１壁部、第２壁部、第３壁部、及び、ＩＤタグの損傷を抑制することができる。従って、パレット等の耐久性の向上等を図ることができる。
【００１１】
手段２．前記タグ収容部は、前記第２壁部に対し、前記挿入開口部の外周方向側に隣接、又は、近接して設けられ、前記第２壁部よりも前記接続面側に延在する回転防止リブを備え、
前記回転防止リブは、前記第１壁部の前記突出部により回動変位させられた前記ＩＤタグと当接して支持可能に構成されていることを特徴とする手段１に記載のパレット。
【００１２】
手段２によれば、第１壁部の突出部により回動変位させられたＩＤタグが同方向に特定角度変位させられた場合に、ＩＤタグは回転防止リブに当接して支持される。このため、第１壁部の突出部により回動変位させられたＩＤタグが、同方向に回動変位し過ぎてしまうといった事態を防止することができる。従って、取付状態にあるＩＤタグの姿勢をより確実に保持することができ、ＩＤタグの取付状態の安定化を図ることができる。また、パレットが水平方向を含む方向に振動した場合であって、ＩＤタグが第１構成部及び第２構成部に対して相対変位するような場合には、第１壁部、及び、第３壁部の負担を軽減することができ、第１壁部、及び、第３壁部の損傷をより一層抑制することができる。
【００１３】
手段３．前記タグ収容部は、前記ＩＤタグのうち、前記第１側面の側辺部と、前記第２側面の側辺部との間を連結する第３側面、及び、第４側面にそれぞれ対向するようにして、前記挿入開口部の周縁部から前記接続面側に延びる内側壁部を備え、
相対する一対の前記内側壁部の間に前記ＩＤタグを挟持可能に構成され、
前記内側壁部は、前記タグ収容部の内周側に突出するガタツキ防止凸部を備え、
前記ガタツキ防止凸部のうち少なくとも前記挿入開口部側の部位は、前記接続面側に向けて次第に前記内側壁部からの突出長が大きくなっていることを特徴とする手段１又は２に記載のパレット。
【００１４】
手段３によれば、ガタツキ防止凸部により、ＩＤタグを相対する一対の内側側壁部の間により確実に挟持固定することができる。従って、ＩＤタグの取付状態の安定化をより一層図ることができる。さらに、パレットが振動等した場合における第１壁部、第２壁部、及び、第３壁部の損傷をより確実に防止することができ、パレットの耐久性の向上をより一層図ることができる。また、ガタツキ防止凸部の挿入開口部側が傾斜していることから、ＩＤタグをタグ収容部に比較的スムースに挿入させることができる。
【００１５】
手段４．前記第１構成部、及び、前記第２構成部は、互いに同一形状で同一の大きさに構成され、
前記第１構成部、及び、前記第２構成部のうち一方側の前記第１壁部、及び、前記第２壁部に対応する前記第３壁部は、前記第１構成部、及び、前記第２構成部のうち他方側の前記第１壁部により構成されていることを特徴とする手段１乃至３のいずれかに記載のパレット。
【００１６】
手段４によれば、第１構成部と、第２構成部とで別形状のものを用意する場合に比べ、製造作業性の向上、コストの削減等を図ることができる。
【図面の簡単な説明】
【００１７】
【図１】パレットの斜視図である。
【図２】下構成部（上構成部も同形状）の斜視図である。
【図３】パレットの長手方向に沿って上下に切断した場合の断面を含むタグ収容部を示す斜視図である。
【図４】上構成部（又は下構成部）の裏面側から視認したタグ収容部を示す斜視図である。
【図５】パレットに取付状態とされたＩＤタグ、及び、タグ収容部を示し、パレットの長手方向に沿って上下に切断した場合の断面を含む斜視図である。
【図６】パレットに取付状態とされるＩＤタグと、タグ収容部との相対位置関係を示し、タグ収容部を水平方向に切断した場合の断面図である。
【図７】パレットに取付状態とされるＩＤタグと、タグ収容部との相対位置関係を示し、タグ収容部をパレットの短手方向に沿って上下に切断した場合の断面図である。
【図８】上構成部の挿入開口部を介してＩＤタグをタグ収容部に収容させる過程を示す一部断面を含む斜視図である。
【図９】上構成部の挿入開口部を介してＩＤタグをタグ収容部に収容させる過程を示す一部断面を含む斜視図である。
【発明を実施するための形態】
【００１８】
以下に、一実施形態について図面を参照して説明する。図１に示すように、パレット１は、平面視略矩形状をなしている。また、パレット１は、パレット１の各短側辺部に沿って設けられる一対の側柱部２と、パレット１の中央部を通るようにして、パレット１の一方の長側辺部から他方の長側辺部にかけて設けられる中央柱部３と、各側柱部２、及び、中央柱部３の上端部間を連結する上デッキ４と、各側柱部２、及び、中央柱部３の下端部間を連結する下デッキ５とを備えている。加えて、各側柱部２と中央柱部３との間には、フォークリフトのフォークを差込み可能なフォーク差込み部６が形成されている。本実施形態では、パレット１の外周面を構成する４つの側面のうち２つの側面からフォークを差込み可能な２方差しタイプのパレットとなっている。
【００１９】
また、本実施形態では、側柱部２、中央柱部３、及び、上デッキ４の上面によって物品を載置可能な「載置面７」が構成されている。さらに、側柱部２、中央柱部３、及び、下デッキ５の下面によって、パレット１が設置される床面等の設置面に接地する「接地面８」が構成されている。
【００２０】
また、本実施形態のパレット１は、上構成部９と、下構成部１０とから構成されている。上構成部９は、側柱部２、及び、中央柱部３の上側部分と、上デッキ４とを備えている。下構成部１０は、側柱部２、及び、中央柱部３の下側部分と、下デッキ５とを備えている（図２参照）。そして、上構成部９の側柱部２、及び、中央柱部３の下面と、下構成部１０の側柱部２、及び、中央柱部３の上面とを熱溶着することにより上構成部９と下構成部１０とが一体化され、これにより本実施形態のパレット１が構成されている。
【００２１】
さらに、本実施形態の上構成部９、及び、下構成部１０は、互いに同一形状で、同一の大きさに構成されており、パレット１の厚み（高さ）方向の中央部、かつ、パレット１の長手方向の中央部を通り、パレット１の短手方向に延びる仮想軸線を中心として互いに点対称形状をなすようにして接続されている。尚、本実施形態では、パレット１を設置面に設置した場合に、上側が上構成部９とされ、下側が下構成部１０とされる。また、本実施形態では、上構成部９が第１構成部に相当し、下構成部１０が第２構成部に相当し、載置面７が第１構成面に相当し、接地面８が第２構成面に相当する。
【００２２】
加えて、上構成部９及び下構成部１０は、いずれもポリプロピレンにより構成されている。また、図２等に示すように、上構成部９、及び、下構成部１０の裏面側には、補強用のリブが格子状に設けられており、側柱部２、及び、中央柱部３については、側柱部２、及び、中央柱部３の外周面を構成する周壁部の内側にリブが格子状に設けられている。
【００２３】
さて、図１等に示すように、パレット１には、平面視でパレット１の長手幅の中央部、かつ、パレット１の短手幅の中央部近傍において、略直方体形状のＩＤタグ３１を収容するタグ収容部１１が設けられている。より具体的には、図３、図４に示すように、タグ収容部１１は、載置面７を構成する中央柱部３の上面、及び、接地面８を構成する中央柱部３の下面に設けられ、ＩＤタグ３１を挿入可能とする挿入開口部１２と、パレット１の長手方向において、挿入開口部１２を挟んで互いに対向して設けられ、挿入開口部１２の周縁部から、上構成部９と、下構成部１０との接続面１３側（パレット１の厚み方向中央部側）に延出する第１壁部１４、及び、第２壁部１７とを備えている。挿入開口部１２は、ＩＤタグ３１の外表面のうち最小面積の面に対応する形状をなしており、本実施形態では、パレット１の長手方向において幅が大きくなっている。尚、タグ収容部１１は、中央柱部３の内側に設けられた格子状のリブによって区画された領域のうちの一つの区画の領域内に収まるようにして設けられている。
【００２４】
第１壁部１４は、第２壁部１７に対して遠近する方向に弾性変形可能な弾性片１５を備えている（図８等参照）。第２壁部１７は、第１壁部１４よりも、挿入開口部１２の周縁部からの延出長が短く構成されている。さらに、第２壁部１７の裏面と、上デッキ４、又は、下デッキ５との間を連結する補助壁部１８が設けられており、第２壁部１７の弾性変形が抑制されるよう構成されている。
【００２５】
また、上記のように、本実施形態では、上構成部９と、下構成部１０とが同一形状をなすとともに、パレット１の短手方向に沿って延びる軸線を中心として点対称形状となるように接続されている。これにより、上構成部９の第１壁部１４は、下構成部１０の第２壁部１７の上方に位置し、上構成部９の第２壁部１７は、下構成部１０の第１壁部１４の上方に位置するようになっている。さらに、上構成部９の第１壁部１４と、下構成部１０の第２壁部１７との間の距離、及び、上構成部９の第２壁部１７と、下構成部１０の第１壁部１４との間の距離は、ＩＤタグ３１の長手方向における長さ（高さ）よりも短くなっている。このため、例えば、図８に示すように、ＩＤタグ３１を上構成部９の挿入開口部１２を介してタグ収容部１１に挿入する場合、上構成部９の挿入開口部１２に挿入されたＩＤタグ３１の全体が、上構成部９の第２壁部１７の接続面１３側の端部（下端部）を越える（下方に位置する）前に、ＩＤタグ３１のうち、上構成部９の第１壁部１４と当接している第１側面３２とは反対側の面であって、上構成部９の第２壁部１７に当接している第２側面３３に対し、下構成部１０の第１壁部１４が当接するように構成されている。本実施形態では、ＩＤタグ３１を上構成部９の載置面７側から挿入する場合、下構成部１０の第１壁部１４が第３壁部を構成する。
【００２６】
また、第１壁部１４は、弾性片１５の先端部から第２壁部１７側に突出し、挿入開口部１２に挿入されたＩＤタグ３１の全体が第２壁部１７の接続面１３側の端部を越えた場合に、弾性片１５の弾性力に基づいてＩＤタグ３１を第２壁部１７側に変位させる突出部１６を備えている（図９参照）。突出部１６は、挿入開口部１２側の面、及び、接続面１３側の面がともに、載置面７、及び、接地面８に対して傾斜するとともに、突出部１６の突出方向先端側に向けて次第に幅が狭くなるような断面略三角形状をなしている。
【００２７】
さらに、図３、図４等に示すように、タグ収容部１１は、第２壁部１７に対し挿入開口部１２の外周方向側に近接して設けられ、第２壁部１７よりも接続面１３側に延在する回転防止リブ１９を備えている。本実施形態の回転防止リブ１９は、パレット１の長手方向において第１壁部１４と対向してはいないものの、パレット１の短手方向における挿入開口部１２の形成範囲と重複する範囲に設けられており、第１壁部１４と略対向するような相対配置となっている。
【００２８】
加えて、図３〜図５等に示すように、タグ収容部１１は、ＩＤタグ３１のうち、第１側面３２の側辺部と、第２側面３３の側辺部との間を連結する第３側面３４、及び、第４側面３５にそれぞれ対向するようにして、挿入開口部１２の周縁部から接続面１３側に延びる内側壁部２１を備え、挿入開口部１２を挟んで相対する内側壁部２１の間にＩＤタグ３１を挟持可能に構成されている。
【００２９】
また、図３、図４等に示すように、内側壁部２１は、タグ収容部１１の内周側に突出するガタツキ防止凸部２２を備えている。図４、図６に示すように、本実施形態の各内側壁部２１は、パレット１の長手方向において、それぞれ第１壁部１４側と、第２壁部１７側とに分断して設けられており、ガタツキ防止凸部２２は、第２壁部１７側の内側壁部２１において設けられている。さらに、図３、図７等に示すように、ガタツキ防止凸部２２は、内側壁部２１のうち挿入開口部１２の近傍部位から、内側壁部２１の上下方向中間位置に向けて、内側壁部２１からの突出長が次第に大きくなり、内側壁部２１の上下方向中間位置から内側壁部２１の接続面１３側の端部にかけて内側壁部２１からの突出長が次第に小さくなるように構成されている。加えて、パレット１の短手方向において相対する内側壁部２１において互いに対向するようにして設けられたガタツキ防止凸部２２間の距離は、ガタツキ防止凸部２２の突出長が最大となる部位の付近において、対応するＩＤタグ３１の幅よりも若干小さくなっている。
【００３０】
以上のように構成されたパレット１に対し、上構成部９の挿入開口部１２からＩＤタグ３１を挿入する場合には、ＩＤタグ３１は、先ず、図８に示すように、上構成部９の第１壁部１４の弾性片１５、第２壁部１７、及び、内側壁部２１に案内されながら、ほぼ鉛直に下方へ変位する。ＩＤタグ３１の下端部が上構成部９の第１壁部１４の突出部１６に当接すると、第２壁部１７に支持されたＩＤタグ３１に押圧されるような格好で、第１壁部１４の弾性片１５がＩＤタグ３１（第２壁部１７）から離間する方向に変形する。
【００３１】
さらに、ＩＤタグ３１の挿入方向先端部（下端部）を接続面１３よりも下構成部１０側（下方）にまで位置させると、ＩＤタグ３１の挿入方向先端部が、下構成部１０の第１壁部１４の突出部１６に当接することとなる。このとき、ＩＤタグ３１は、未だに上構成部９の第２壁部１７と当接状態とされており、ＩＤタグ３１はほぼ鉛直方向に延びた姿勢となっている。
【００３２】
その後、図９に示すように、ＩＤタグ３１の挿入方向先端部が、下構成部１０の第１壁部１４の突出部１６のうち最も突出している部位よりも下方に位置する段階で、ＩＤタグ３１の挿入方向後端部（上端部）、すなわち、ＩＤタグ３１の全体が、上構成部９の第２壁部１７の下端部よりも下方に位置することとなる。このようなＩＤタグ３１と、上構成部９の第２壁部１７との相対配置とされることで、図５に示すように、ＩＤタグ３１は、上構成部９の第１壁部１４の突出部１６により、当該第１壁部１４の弾性片１５の弾性力に基づいて、上構成部９の第２壁部１７側に変位させられることになる。このとき、ＩＤタグ３１の挿入方向先端部側（下側）については、下構成部１０の第１壁部１４によって、上構成部９の第２壁部１７側への変位が規制されていることから、ＩＤタグ３１は、挿入方向後端部側の部位（上部）が、上構成部９の第２壁部１７の接続面１３側（下方）の空間に潜り込むようにして回動変位することとなる。また、ＩＤタグ３１が同方向に特定角度回動変位した場合には、ＩＤタグ３１が回転防止リブ１９と当接し、それ以上の回動変位が防止されるようになっている（図６参照）。
【００３３】
さらに、本実施形態では、ＩＤタグ３１の上端部が上構成部９の第２壁部１７よりも下方に位置する前に、ＩＤタグ３１の第２側面３３の下部が、下構成部１０の第１壁部１４の突出部１６と当接して、当該第１壁部１４を外方に弾性変形させる。このため、ＩＤタグ３１の上端部が上構成部９の第２壁部１７よりも下方に位置した場合には、ＩＤタグ３１の下部は、下構成部１０の第１壁部１４の突出部１６により、当該第１壁部１４の弾性片１５の弾性力に基づいて、下構成部１０の第２壁部１７側に変位させられることになる。これにより、ＩＤタグ３１は、その下部が、下構成部１０の第２壁部１７の上方の空間に進入するようにして回動変位することとなる。
【００３４】
加えて、図６、図７に示すように、ＩＤタグ３１は、基本的に、挿入開口部１２を介してタグ収容部１１に所定長挿入された段階で、相対する内側壁部２１において互いに対向するようにして設けられたガタツキ防止凸部２２により挟持されるようになっている。また、ＩＤタグ３１が下構成部１０の第１壁部１４に当接した段階では、下構成部１０の一対のガタツキ防止凸部２２によっても挟持されるようになっている。このため、ＩＤタグ３１の全体が、上構成部９の第２壁部１７よりも下方に位置した段階で、ＩＤタグ３１は、ガタツキ防止凸部２２により保持されつつ、上構成部９の第１壁部１４、及び、下構成部１０の第１壁部１４により、ＩＤタグ３１の上端部が上構成部９の第２壁部１７の下方に位置し、ＩＤタグ３１の下端部が下構成部１０の第２壁部１７の上方に位置するようにして回動変位する。
【００３５】
以上のように、ＩＤタグ３１のパレット１への取付作業としては、ＩＤタグ３１を上構成部９の挿入開口部１２に挿入し、当該ＩＤタグ３１の上端部を、上構成部９の第２壁部１７の下端部よりも下方に押込むだけで完了する。また、第１壁部１４が基本姿勢に復帰した後も、ＩＤタグ３１はガタツキ防止凸部２２により挟持され続ける。つまり、ＩＤタグ３１は、タグ収容部１１において、挿入開口部１２に挿入される際の鉛直姿勢に対して傾けられた傾斜姿勢で保持されている。
【００３６】
加えて、中央柱部３の上面、及び、下面には、パレット１の短手方向において挿入開口部１２に連続する指挿入孔部２３が設けられている。指挿入孔部２３は、パレット１の長手方向において内側壁部２１が分断されている領域に対応して設けられている。指挿入孔部２３が設けられることにより、ＩＤタグ３１をタグ収容部１１に挿入させる作業に際してＩＤタグ３１が押込み易くなる。
【００３７】
さらに、中央柱部３の上面、及び、下面には、パレット１の長手方向において挿入開口部１２に近接した位置に対し、ドライバー等の工具の先端部を挿入可能な工具挿入孔２４が、挿入開口部１２を挟んで一対で設けられている。工具挿入孔２４が設けられることにより、当該工具挿入孔２４を介して、タグ収容部１１に収容されている（パレット１に取付けられている）ＩＤタグ３１に工具の先端部を当接させて、傾斜姿勢にあるＩＤタグ３１をほぼ鉛直に延びる姿勢へと回動変位させることが可能となる。そして、指挿入孔部２３を介して指をタグ収容部１１に挿入し、ほぼ鉛直に延びる姿勢とされたＩＤタグ３１を上方に引っ張り出す（取出す）ことが可能となっている。
【００３８】
また、載置面７、及び、接地面８には、パレット１の長さ方向に延び、内側に滑り止めテープ（図示略）が貼着されるテープ設置溝２５が、パレット１の短手方向において複数本設けられている。
【００３９】
以上詳述したように、本実施形態によれば、パレット１において、ＩＤタグ３１を直接パレット１に取付可能とするタグ収容部１１が設けられている。従って、例えば、ＩＤタグ３１を専用のホルダに装着してからパレット１に取付けるような構成に比べ、ＩＤタグ３１をパレット１に取付ける作業性の向上、及び、コストの削減等を図ることができる。
【００４０】
また、例えば、上構成部９の挿入開口部１２に挿入されたＩＤタグ３１は、その全体が上構成部９の第２壁部１７の接続面１３側の端部を越えると、上構成部９の第１壁部１４の突出部１６、及び、下構成部１０の第１壁部１４の突出部１６により、当該第１壁部１４の弾性片１５の弾性力に基づいて、ＩＤタグ３１の上端部が上構成部９の第２壁部１７の下方に位置し、ＩＤタグ３１の下端部が下構成部１０の第２壁部１７の上方に位置するようにして回動変位させられることになる。このように、ＩＤタグ３１が回動変位した（傾いた）姿勢とされることで、ＩＤタグ３１が挿入開口部１２を介してパレット１から外れてしまうといった事態をより確実に防止することができる。尚、ＩＤタグ３１をタグ収容部１１から取出すためには、先ず、傾斜姿勢にあるＩＤタグ３１を、第１壁部１４の弾性片１５の弾性力に抗しつつ、また、ＩＤタグ３１の上面、又は、下面と、対応する挿入開口部１２との間に位置する第２壁部１７との干渉も避けつつ、回動変位させて鉛直姿勢とする必要がある。さらに、本例では、ＩＤタグ３１の上側、及び、下側の両方で、上構成部９及び下構成部１０の第１壁部１４の弾性力に抗しつつ、鉛直姿勢となるように回動変位させる必要がある。従って、ＩＤタグ３１が鉛直姿勢とされるとともに、上構成部９又は下構成部１０の第１壁部１４と、第２壁部１５との間に挿通されるといったＩＤタグ３１の変位動作は、意図的に操作しなければ起こり得ない事象であり、ＩＤタグ３１のパレット１からの脱落が確実に防止される。
【００４１】
さらに、例えば、パレット１が振動したり、衝撃を受けたりした場合であって、ＩＤタグ３１が上構成部９及び下構成部１０に対して相対変位するような場合には、上構成部９、及び、下構成部１０の第１壁部１４、及び、第２壁部１７により、ＩＤタグ３１を協働して支持することができ、第１壁部１４、第２壁部１７、及び、ＩＤタグ３１の損傷を抑制することができる。従って、パレット１等の耐久性の向上等を図ることができる。
【００４２】
また、例えば、第１壁部１４の突出部１６により回動変位させられたＩＤタグ３１が同方向に特定角度変位させられた場合には、ＩＤタグ３１は回転防止リブ１９に当接して支持される。このため、第１壁部１４の突出部１６により回動変位させられたＩＤタグ３１が、同方向に回動変位し過ぎてしまうといった事態を防止することができる。従って、取付状態にあるＩＤタグ３１の姿勢をより確実に保持することができ、ＩＤタグ３１の取付状態の安定化を図ることができる。また、パレット１が水平方向を含む方向に振動した場合であって、ＩＤタグ３１が上構成部９及び下構成部１０に対して相対変位するような場合には、第１壁部１４の負担を軽減することができ、第１壁部１４の損傷をより一層抑制することができる。
【００４３】
加えて、挿入開口部１２を介してＩＤタグ３１をタグ収容部１１に挿入させると、相対する内側壁部２１において互いに対向するようにして設けられたガタツキ防止凸部２２の間にＩＤタグ３１が挟持されるようになっている。従って、ＩＤタグ３１の取付状態の安定化をより一層図ることができる。さらに、パレット１が振動等した場合における第１壁部１４、及び、第２壁部１７の損傷をより確実に防止することができ、パレット１の耐久性の向上をより一層図ることができる。また、ガタツキ防止凸部２２の挿入開口部１２側が傾斜していることから、ＩＤタグ３１をタグ収容部１１に比較的スムースに挿入させることができる。
【００４４】
さらに、パレット１を構成する上構成部９、及び、下構成部１０は、互いに同一形状で同一の大きさに構成されている。このため、上構成部９と、下構成部１０とで別形状のものを用意する場合に比べ、製造作業性の向上、コストの削減等を図ることができる。
【００４５】
また、第１壁部１４の突出部１６のうち挿入開口部１２側の面が傾斜していることにより、ＩＤタグ３１の取付作業に際して、ＩＤタグ３１の挿入方向先端部が突出部１６に引っ掛かるといった事態を回避することができ、第１壁部１４の弾性片１５を比較的スムースに弾性変形させることができる。さらに、突出部１６のうち接続面１３側の面が傾斜していることにより、例えば、上構成部９の挿入開口部１２からＩＤタグ３１を挿入する場合に、下構成部１０の第１壁部１４の突出部１６のうち接続面１３側の傾斜面によって、ＩＤタグ３１を比較的容易に、傾斜姿勢へと変位させることができる。加えて、ＩＤタグ３１が傾斜姿勢とされた後も、その姿勢を維持し易くする（傾きが変更され難くする）ことができる。
【００４６】
尚、上記実施形態の記載内容に限定されず、例えば次のように実施してもよい。勿論、以下において例示しない他の応用例、変更例も当然可能である。
【００４７】
（ａ）上記実施形態では、上構成部９と、下構成部１０とが、同一形状で、同一の大きさに構成されているが、上構成部９と、下構成部１０とで、形状等が異なるよう構成してもよい。例えば、下デッキ５において、ハンドリフトのフォークの下面側に取付けられたキャスターを接地可能とするキャスター用開口部等の開口部が設けられるようなパレット（片面仕様タイプのパレット）に具体化してもよい。また、当該構成を採用する場合、載置面７、及び、接地面８のうち一方側からのみＩＤタグ３１を挿入可能な構成としてもよいし、下構成部１０において、第２壁部１７、回転防止リブ１９、又は、ガタツキ防止凸部２２を省略してもよいし、下構成部１０の第１壁部１４（第３壁部に相当する）を基本的に弾性変形しないように構成してもよい。
【００４８】
（ｂ）上記実施形態では、一対の側柱部２と、中央柱部３とを備える２方差しタイプのパレットとなっているが、パレットの四隅に設けられる４本の隅柱と、パレットの側辺部に沿って並ぶ一対の隅柱の中間部位に設けられる中間柱と、パレットの中央部に設けられる中央柱とを備え、パレットの外周面を構成する４つの側面からフォークを差込み可能な４方差しタイプのパレットに適応することも可能である。
【００４９】
また、上記実施形態では特に言及していないが、載置面７、及び、接地面８に関し、挿入開口部１２、指挿入孔部２３、及び、工具挿入孔２４以外の部位を無孔状としてもよいし、上デッキ４、及び、下デッキ５を上下に貫通する開口部を有する格子状に構成してもよいし、載置面７、及び、接地面８の全体を格子状に構成してもよい。尚、指挿入孔部２３、工具挿入孔２４、及び、テープ設置溝２５を省略することも可能である。また、指挿入孔部２３を、挿入開口部１２を挟んで対向する位置に一対で設けることとしてもよい。
【００５０】
（ｃ）上記実施形態では、タグ収容部１１がパレット１の平面視略中央部に設けられているが、平面視中央部に設けられることとしてもよいし、上構成部９、及び、下構成部１０が互いに点対称形状とされる中心となるパレット１の長手（幅）方向中央部からずれた位置に設けられることとしてもよい。後者の構成を採用する場合、タグ収容部１１が対称位置に配置されるようにして複数設けられることとなる。
【００５１】
また、上記実施形態では、ＩＤタグ３１が略直方体形状をなしているが、例えば、略円柱状に構成されていてもよい。
【００５２】
（ｄ）上記実施形態の第１壁部１４の形状等については特に限定されるものではなく、例えば、突出部１６の形状を断面略三角形状以外の形状（例えば、断面略半円形状、断面略台形状）としてもよいし、突出部１６を弾性片１５の先端部近傍位置から突出するように構成してもよい。さらに、第２壁部１７の弾性変形を抑制する構成としては、特に、補助壁部１８に限定されるものではなく、例えば、補助壁部１８に代えて、又は、加えて、第２壁部１７と、内側壁部２１とを連結させることとしてもよい。
【００５３】
また、上記実施形態では、回転防止リブ１９が第２壁部１７に対し、挿入開口部１２の外周方向側に近接して設けられているが、回転防止リブ１９と、第２壁部１７との間の距離は、取付状態にあるＩＤタグ３１の傾きや、第２壁部１７の形状等の各種設定に応じて適宜変更可能であり、例えば、回転防止リブ１９と、第２壁部１７とを隣接して設けてもよい。さらに、回転防止リブ１９は、例えば、第１壁部１４により第２壁部１７側に回動変位させられたＩＤタグ３１のうち、第１壁部１４と当接する第１側面３２とは反対側の第２側面３３に当接して支持可能に構成されていればよく、例えば、第１壁部１４と対向して設けられることとしてもよい。
【００５４】
（ｅ）上記実施形態では、パレット１はポリプロピレンにより構成されているが、ポリエチレン、ＰＥＴ、ポリアミド等その他の樹脂材料により構成されることとしてもよい。
【符号の説明】
【００５５】
１…パレット、２…側柱部、３…中央柱部、４…上デッキ、５…下デッキ、６…フォーク差込み部、７…載置面、８…接地面、９…上構成部、１０…下構成部、１１…タグ収容部、１２…挿入開口部、１３…接続面、１４…第１壁部、１５…弾性片、１６…突出部、１７…第２壁部、１９…回転防止リブ、２１…内側壁部、２２…ガタツキ防止凸部、３１…ＩＤタグ、３２…第１側面、３３…第２側面。
【図１】
2018193090.tif 000003
【図２】
2018193090.tif 000004
【図３】
2018193090.tif 000005
【図４】
2018193090.tif 000006
【図５】
2018193090.tif 000007
【図６】
2018193090.tif 000008
【図７】
2018193090.tif 000009
【図８】
2018193090.tif 000010
【図９】
2018193090.tif 000011